(57)【要約】【課題】海藻の着床・生育を促進することができる人工石を提供する。【解決手段】土砂２・・・と、多孔質材３・・・と、成長促進物４・・・・とを硬化剤を用いて固めた。【選択図】図１
2004057190.tif 000002
【特許請求の範囲】
【請求項１】
土砂と、多孔質材と、成長促進物とを硬化剤を用いて固めた、人工石。
【請求項２】
土砂と硬化剤とを含む混練物を所定の形に成型し、その表面に、多孔質材と、成長促進物とを埋め込み及び／又は貼り付けた、人工石。
【請求項３】
前記硬化剤が、ポルトランドセメントに、塩化カルシウム、塩化ナトリウム、塩化カリウム、炭酸カリウム及び炭酸カルシウムの群から選択される少なくとも一種の塩と、アンモニウム塩とを水に溶解した水溶液である、請求項１又は請求項２に記載の人工石。
【請求項４】
前記成長促進物が、かに、えびその他の甲殻類の殻及び／又は貝殻の粉砕物である、請求項１〜３のいずれかに記載の人工石。
【請求項５】
前記成長促進物が、油かすである、請求項１〜３のいずれかに記載の人工石。
【請求項６】
形状を球状にした、請求項１〜５のいずれかに記載の人工石。
【請求項７】
形状を平面視覚にした場合、略四角形状をしており、側面視した場合、上面側を波形にした、請求項１〜６のいずれかに記載の人工石。
【請求項８】
前記土砂として、投入場所の砂浜と同一又は概ね同一の土砂を用いた、請求項１〜７のいずれかに記載の人工石。
【請求項９】
土砂と、多孔質材と、成長促進物とを硬化剤とを含む、海藻の着床・生育促進用物。
【発明の詳細な説明】
【０００１】
【発明の属する技術分野】
本発明は、人工石及び海藻の着床・生育促進用材料に関し、特に、海藻の着床・生育を促進することができる人工石及び海藻の着床・生育促進用物に関する。
【０００２】
【従来の技術】
近時、海の砂漠化が問題となっている。
【０００３】
また、護岸工事等でテトラポットやコンクリートブロックが海中や海岸に施工されている。
【０００４】
【発明が解決しようとする課題】
しかしながら、テトラポットやコンクリートブロック等のコンクリート製の構造物には、海藻が生え難い、という問題がある。
【０００５】
本発明は、以上のような問題を解決するためになされたものであって、テトラポットやコンクリートブロック等の構造物の隙間に入れたり、或いは、テトラポットやコンクリートブロック等の構造物に孔を設けその孔内に埋め込んだり、このような構造物の表面に載置したり、あるいは、単に、海中にばら撒いたり、投入したり、また、海底に置くことで、海藻が生え易い環境を生み出し、海藻の生育を促進することができる人工石、及び／又はそのような人工石であって、環境破壊をすることが無い、人工石を提供すること、並びに、護岸工事やテトラポット等の構造物海藻が生え易い環境を作り出す、海藻の着床・生育促進用物を提供することを目的としている。
【０００６】
【課題を解決するための手段】
請求項１に記載の人工石は、土砂と、多孔質材と、成長促進物とを硬化剤を用いて固めた。
【０００７】
この人工石には、多孔質材が含まれているので、海藻が着床し易く、根をはり易い。
【０００８】
また、この人工石には、成長促進物が含まれているので、海藻が成長し易い。
【０００９】
請求項２に記載の人工石は、土砂と硬化剤とを含む混練物を所定の形に成型し、その表面に、多孔質材と、成長促進物とを埋め込み及び／又は貼り付けた。
【００１０】
この人工石には、多孔質材が含まれているので、海藻が着床し易く、根をはり易い。
【００１１】
また、この人工石には、成長促進物が含まれているので、海藻が成長し易い。
【００１２】
また、多孔質材や成長促進物は、人工石の表面側にあればよい。
【００１３】
この点、この人工石では、多孔質材や成長促進物の多くを、その表面側に設けているので、海藻が着床し易く、根をはり易い。
【００１４】
請求項３に記載の人工石は、請求項１又は請求項２に記載の人工石の、硬化剤が、ポルトランドセメントに、塩化カルシウム、塩化ナトリウム、塩化カリウム、炭酸カリウム及び炭酸カルシウムの群から選択される少なくとも一種の塩と、アンモニウム塩とを水に溶解した水溶液である。
【００１５】
この硬化剤は、土砂等を焼成することなく石化できるので、成長促進物の組成を熱分解することなく、石化できる。
【００１６】
即ち、この人工石には、成長促進物が熱分解されることなく含まれているので、この人工石は、海藻が成長し易い。
【００１７】
請求項４に記載の人工石は、請求項１〜３のいずれかに記載の人工石の、成長促進物が、かに、えびその他の甲殻類の殻及び／又は貝殻の粉砕物である。
【００１８】
甲殻類の殻及び／又は貝殻の表面には海藻が着床し易い。
【００１９】
この人工石には、海藻が着床し易い甲殻類の殻及び／又は貝殻の粉砕物を含ませているので、この人工石は、海藻が着床し易い。
【００２０】
請求項５に記載の人工石は、請求項１〜３のいずれかに記載の人工石の、成長促進物が、油かすである。
【００２１】
この人工石は、海藻の肥料となる油かすを含んでいるので、海藻が成長し易い。
【００２２】
請求項６に記載の人工石は、請求項１〜５のいずれかに記載の人工石の形状を球状にした。
【００２３】
この人工石は、その形状を球状としているので、海中へばら撒き易い。また、海中にばら撒いても、目立ち難い。
【００２４】
請求項７に記載の人工石は、請求項１〜５のいずれかに記載の人工石は、形状を平面視覚にした場合、略四角形状をしており、側面視した場合、上面側を波形にした。
【００２５】
この人工石では、その表面側を波形にし、表面側の表面積を投影面積より広くしているので、海藻の着床面積が広い。
【００２６】
即ち、この人工石では、海藻の着床面積が広いので、海藻が着床し易い。
【００２７】
また、この人工石では、その表面側を波形にしているので、仮に、この人工石が海流の強い場所に投入・設置された場合であっても、人工石の表面側には、表面側に設けられている波形によりうず巻き流を発生させることができる。
【００２８】
そして、このうず巻き流は、人工石の表面に、滞流を生じ得る。
【００２９】
この人工石では、人工石の表面側に滞流を生じ得るようにしているので、滞流を生じた場合には、海藻を着床させることができる。
【００３０】
請求項８に記載の人工石は、請求項１〜７のいずれかに記載の人工石の、土砂として、投入場所の砂浜と同一又は概ね同一の土砂を用いた。
【００３１】
この人工石は、海流や波により流されたり、粉砕されたりするが、粉砕されれば、元々存在する土砂に戻るだけであるので、環境を破壊することがない。
【００３２】
請求項９に記載の海藻の着床・生育促進用物は、土砂と、多孔質材と、成長促進物とを硬化剤とを含む。
【００３３】
この海藻の着床・生育促進用物は、土砂と、多孔質材と、成長促進物とを硬化剤混合物水溶液を所望の場所に吹き付けるようにして用いる。
【００３４】
この海藻の着床・生育促進用物は、海藻の胞子が着床し易い多孔質材と、海藻の成長を促進する成長促進物を含むので、この海藻の着床・生育促進用物を護岸工事やテトラポット等の構造物（海藻が生え難い構造物）上に、吹き付け、その表面で硬化させることで、護岸工事やテトラポット等の構造物（海藻が生え難い構造物）を海藻が生え易い環境に変えることができる。
【００３５】
【発明の実施の形態】
以下、本発明に係る人工石の好ましい例を、更に詳しく説明する。
【００３６】
図１（ａ）及び図１（ｂ）の各々の図は、本発明に係る人工石の好ましい例を説明する模式的な断面図である。
【００３７】
図１（ａ）に示す人工石１は、土砂２・・・と、多孔質材３・・・と、成長促進物４・・・とを硬化剤を用いて固めて構成されている。
【００３８】
土砂２としては、環境破壊を防ぐ観点からは、海砂（砂利が入っていてもよい。）を用いるのが好ましい。
【００３９】
また、土砂２と、多孔質材３と、成長促進物４との配合割合は、厳密な配合割合があるわけではないが、例えば、土砂２を１０００ｃｃ（容量）とした場合、１０００ｃｃの土砂２に対し、多孔質材３は、５ｇ以上２０ｇ以下の範囲（例えば、１０ｇ）で配合し、また、１０００ｃｃの土砂２に対し、成長促進物４は、５ｇ以上２０ｇ以下の範囲（例えば、１０ｇ）で配合することを目安にして、配合する。
【００４０】
多孔質材３・・・としては、例えば、ゼオライト（結晶性アルミノケイ酸塩、沸石（別名））の粉体を用いる。
【００４１】
ゼオライトは、天然ゼオライトであっても、合成ゼオライトであってもよい。
【００４２】
ゼオライトの粒度分布並びに平均粒子径は、最大のものが、数センチ以下（小石以下）程度であれば、特に、限定されることはないが、市販品を用いる場合には、入手し易いもの、例えば、通常、１μｍ以上８０μｍ以下の範囲にあり、平均粒子径が、１０μｍ以上５０μｍ以下のものを用いる。通常、このようなゼオライトは、５Å程度の細孔を有する。
【００４３】
本発明者等は、ゼオライトとして、株式会社ゼオ・ゲイト製のものを用いている。
【００４４】
また、成長促進物４・・・としては、例えば、かに、えびその他の甲殻類の殻及び／又は貝殻、及び／又は、油かすを用いる。
【００４５】
かに、えびその他の甲殻類の殻及び／又は貝殻は、そのまま、又は、適当に粉砕して用いる。
【００４６】
より具体的には、かに、えびその他の甲殻類の殻及び／又は貝殻は、海岸を歩いている際に、自然に目に付く程度の破片（例えば、３ｃｍ以下）と同じような大きさ以下に粉砕されていればよい。
【００４７】
このような人工石１は、土砂２・・・と、多孔質材３・・・と、成長促進物４・・・と、硬化剤とを混練した混練物（混合水溶液）を、所定の形状に成型した後、硬化させることで製造する。
【００４８】
尚、この人工石１では、硬化剤として、ポルトランドセメントに、塩化カルシウム、塩化ナトリウム、塩化カリウム、炭酸カリウム及び炭酸カルシウムの群から選択される少なくとも一種の塩と、アンモニウム塩とを水に溶解した水溶液である。尚、硬化剤としては、上記したものに限定されず、種々のセメント材を用いることができる。
【００４９】
この人工石１には、多孔質材３・・・が含まれているので、海藻が着床し易く、根をはり易い。
【００５０】
また、この人工石１には、成長促進物４・・・が含まれているので、海藻が成長し易い。
【００５１】
また、かに、えびその他の甲殻類の殻及び／又は貝殻の表面には、海藻が生え易い。
【００５２】
成長促進物４・・・として、海藻が生え易い、かに、えびその他の甲殻類の殻及び／又は貝殻の粉砕物を人工石１に含ませた場合には、海藻が生え易い。
【００５３】
また、油かすは、海藻の肥料となる。
【００５４】
従って、人工石１中に成長促進物４・・・として、油かすを含ませた場合には、人工石１に、海藻を成長させ易い。
【００５５】
次に、図１（ｂ）に示す人工石について説明する。
【００５６】
図１（ｂ）に示す人工石１Ａは、多孔質材や成長促進物の多くを、その表面側に設けている点が、図１（ｂ）に示す人工石１と異なっている以外は、人工石１と同様であるので、人工石１Ａの構成材料中、人工石１の構成部材に相当する構成材料については、人工石１の構成材料に付した符号と同一の符号を付して、その説明を省略する。
【００５７】
この人工石１Ａは、多孔質材３・・・や成長促進物４・・・の多くを、その表面側に設けているので、海藻が着床し易く、根をはり易い。
【００５８】
尚、人工石１Ａは、例えば、以下に示す製造方法によって製造することができる。
【００５９】
図２は、人工石１Ａの製造方法を模式的に示す工程図である。
【００６０】
人工石１Ａを製造する場合には、まず、土砂２・・・と硬化剤とを混練し、混練物５を準備する（Ｓ１を参照）。
【００６１】
尚、硬化剤としては、人工石１の製造に用いた硬化剤を用いることが、好ましい。
【００６２】
また、多孔質材３・・・と成長促進物４・・・とを混合し、多孔質材２・・・と成長促進物３との多孔質材・成長促進物混合物６を準備する（Ｓ２を参照）。
【００６３】
次に、混練物５を、例えば、成型機を用いて、球状に成型し、土砂・硬化物混練物成型品７を準備する（Ｓ３を参照）。
【００６４】
次に、硬化物混練物成型品７が完全に固まる前に、多孔質材・成長促進物混合物６の埋め込み・貼り付けを行なう（Ｓ４を参照）。
【００６５】
その後、多孔質材・成長促進物混合物６の埋め込み・貼り付けを行なった硬化物混練物成型品７を完全に硬化させることで、人工石１Ａ（製品）を得る（Ｓ５を参照）。
【００６６】
尚、この人工石１、１Ａでは、硬化剤として、土砂等を焼成することなく石化できるものを用いているので、成長促進物の組成を熱分解することなく、石化できる。
【００６７】
即ち、この人工石１、１Ａには、成長促進物が熱分解されることなく含まれているので、この人工石１、１Ａは、海藻が成長し易い。
【００６８】
また、人工石１、１Ａのように、その形状を球状にした場合には、海中へばら撒き易く、また、海中にばら撒いても、目立ち難い、という利点がある。
【００６９】
尚、人工石１、１Ａを球状にする場合は、以下の場合に限定されることは無いものの、その直径を、３ｃｍ以上１２ｃｍ以下程度にするのが、他の自然石との関係で目立ち難い点や、海中で流出され難い点等を考慮すれば好ましい。
【００７０】
尚、本発明に係る人工石は、人工石１、１Ａのような球状になったものに限られ無いことは、言うまでも無い。
【００７１】
この人工石１Ｂは、人工石１、１Ａの形状を、形状を平面視覚にした場合、略四角形状をしており、側面視した場合、上面（表面）Ｓａ側を波形にした点が、人工石１、１Ａと異なっている。
【００７２】
この人工石１Ｂでは、その表面Ｓａ側を波形にし、表面Ｓａ側の表面積を投影面積より広くしているので、海藻の着床面積が広い。
【００７３】
即ち、この人工石１Ｂでは、海藻の着床面積が広いので、海藻が着床し易い。
【００７４】
また、この人工石１Ｂでは、その表面Ｓａ側を波形にしているので、仮に、この人工石が海流の強い場所に投入・設置された場合であっても、人工石の表面Ｓａ側には、表面側に設けられている波形によりうず巻き流を発生させることができる。
【００７５】
そして、このうず巻き流は、人工石１Ｂの表面Ｓａに、滞流を生じ得る。
【００７６】
この人工石１Ｂでは、人工石１Ｂの表面Ｓａ側に滞流を生じ得るようにしているので、滞流を生じた場合には、海藻を着床させることができる。
【００７７】
尚、以上の発明の実施の形態では、人工石を例にして、本発明の好ましい実施の形態を中心に説明したが、本発明は、上記した人工石に限定されることはない。
【００７８】
例えば、土砂と、多孔質材と、成長促進物とを硬化剤とを含む混合物水溶液を準備し、これをノズル手段を用い、ノズル手段から混合物水溶液を所望の場所（例えば、コンクリートブロックやテトラポット等）に吹き付け、その後、所望の場所（例えば、コンクリートブロックやテトラポット等）上で硬化させるようにしてもよい。
【００７９】
このようにして、所望の場所（例えば、コンクリートブロックやテトラポット等）上で硬化させて形成された海藻の着床・生育促進用物は、海藻の胞子が着床し易い多孔質材と、海藻の成長を促進する成長促進物を含むので、土砂と、多孔質材と、成長促進物とを硬化剤とを含む混合物水溶液を護岸工事やテトラポット等の構造物（海藻が生え難い構造物）上に、吹き付けることで、護岸工事やテトラポット等の構造物（海藻が生え難い構造物）を海藻が生え易い環境に変えることができる。
【００８０】
【発明の効果】
以上、詳細に説明したように、請求項１に記載の人工石には、多孔質材が含まれているので、海藻が着床し易く、根をはり易い。また、この人工石には、成長促進物が含まれているので、海藻が成長し易い。
【００８１】
多孔質材としては、例えば、ゼオライト（結晶性アルミノケイ酸塩）の粉体を用いることができる
請求項２に記載の人工石には、多孔質材が含まれているので、海藻が着床し易く、根をはり易い。また、この人工石には、成長促進物が含まれているので、海藻が成長し易い。のみならず、この人工石では、多孔質材や成長促進物の多くを、その表面側に設けているので、海藻が着床し易く、根をはり易い。
【００８２】
請求項３に記載の人工石では、硬化剤として加熱を要さない硬化剤を用いたので、成長促進物が熱分解されることなく含まれている。したがって、この人工石は、海藻が成長し易い。
【００８３】
請求項４に記載の人工石には、海藻が着床し易い甲殻類の殻及び／又は貝殻の粉砕物を含ませているので、この人工石は、海藻が着床し易い。
【００８４】
請求項５に記載の人工石は、海藻の肥料となる油かすを含んでいるので、海藻が成長し易い。
【００８５】
請求項６に記載の人工石は、その形状を球状としているので、海中へばら撒き易い。また、海中にばら撒いても、目立ち難い。
【００８６】
請求項７に記載の人工石では、その表面側を波形にし、表面側の表面積を投影面積より広くしているので、海藻の着床面積が広い。即ち、この人工石では、海藻の着床面積が広いので、海藻が着床し易い。また、この人工石では、その表面側を波形にしているので、仮に、この人工石が海流の強い場所に投入・設置された場合であっても、人工石の表面側には、表面側に設けられている波形によりうず巻き流を発生させることができる。そして、このうず巻き流は、人工石の表面に、滞流を生じ得る。この人工石では、人工石の表面側に滞流を生じ得るようにしているので、滞流を生じた場合には、海藻を着床させることができる。
【００８７】
請求項８に記載の人工石は、海流や波により流されたり、粉砕されたりするが、粉砕されれば、元々存在する土砂に戻るだけであるので、環境を破壊することがない。
【００８８】
請求項９に記載の海藻の着床・生育促進用物は、海藻の胞子が着床し易い多孔質材と、海藻の成長を促進する成長促進物を含む。このため、土砂と、多孔質材と、成長促進物とを硬化剤とを含む混合水溶液を護岸工事やテトラポット等の構造物（海藻が生え難い構造物）上に、吹き付けることで、護岸工事やテトラポット等の構造物（海藻が生え難い構造物）を海藻が生え易い環境に変えることができる。
【図面の簡単な説明】
【図１】図１（ａ）及び図１（ｂ）の各々の図は、本発明に係る人工石の好ましい例を説明する模式的な断面図である。
【図２】本発明に係る人工石の製造方法を模式的に示す工程図である。
【図３】図３（ａ）は、本発明に係る人工石の形状として好ましい他の一例を例示的・模式的に示す斜視図であり、また、図３（ｂ）は、図３（ａ）に示す人工石の模式的な断面図である。
【符号の説明】
１、１Ａ、１Ｂ　人工石
２　土砂
３　多孔質材
４　成長促進物
【図１】
2004057190.tif 000003
【図２】
2004057190.tif 000004
【図３】
2004057190.tif 000005